(57)【要約】【課題】装置の初期起動からレディ状態となるまでの無駄な消費電力を低減する画像形成装置、電源供給制御方法、プログラム及び記録媒体を提供する。【解決手段】画像形成装置１は、自装置の機能動作を実行するための少なくとも１以上の機能動作手段であるユニットと、少なくとも１以上の機能動作手段への電源供給を制御する電源制御部６０と、を有する。そして、電源制御部６０は、自装置起動時における少なくとも１以上の機能動作手段への電源供給タイミングを、機能動作手段毎に制御する。【選択図】図１
2011043913.tif 000002
【特許請求の範囲】
【請求項１】
自装置の機能動作を実行するための少なくとも１以上の機能動作手段と、
前記少なくとも１以上の機能動作手段への電源供給を制御する電源制御手段と、を有し、
前記電源制御手段は、自装置起動時における前記少なくとも１以上の機能動作手段への電源供給タイミングを、前記機能動作手段毎に制御することを特徴とする画像形成装置。
【請求項２】
前記電源制御手段は、他の機能動作手段と通信できる状態であるレディ状態となるまでの時間が長い機能動作手段から順に電源供給を制御することを特徴とする請求項１記載の画像形成装置。
【請求項３】
自装置の機能動作を実行するための少なくとも１以上の機能動作手段を有し、
前記少なくとも１以上の機能動作手段のうち、他の機能動作手段と通信できる状態であるレディ状態となるまでの時間が最も長い機能動作手段は、自装置起動時における他の機能動作手段への電源供給を、前記機能動作手段毎に制御することを特徴とする画像形成装置。
【請求項４】
前記少なくとも１以上の機能動作手段は、電源供給がされた際には前記レディ状態となるまでの時間が最も長い機能動作手段に通知を送信し、
前記レディ状態となるまでの時間が最も長い機能動作手段は、前記他の機能動作手段から送信される通知に基づいて、自装置起動時における他の機能動作手段への電源供給を制御することを特徴とする請求項３記載の画像形成装置。
【請求項５】
前記レディ状態となるまでの時間が最も長い機能動作手段は、前記他の機能動作手段への電源供給タイミング情報を含有する制御テーブルを格納した記録手段を備え、前記制御テーブルに基づいて、自装置起動時における前記他の機能動作手段への電源供給タイミングを制御することを特徴とする請求項３記載の画像形成装置。
【請求項６】
前記少なくとも１以上の機能動作手段は、電源供給がされた際には前記レディ状態となるまでの時間が最も長い機能動作手段に通知を送信し、
前記制御テーブルは、最初の自装置起動時に送信された前記通知に基づいて作成されることを特徴とする請求項５に記載の画像形成装置。
【請求項７】
自装置の主電源がＯＮとなる主電源ＯＮ工程と、
電源供給を制御する電源制御手段に電源供給する電源供給工程と、
前記電源制御手段が、自装置の機能動作を実行するための少なくとも１以上の機能動作手段への電源供給タイミングを、前記機能動作手段毎に制御する電源供給制御工程と、を有することを特徴とする電源供給制御方法。
【請求項８】
前記電源供給制御工程は、他の機能動作手段と通信できる状態であるレディ状態となるまでの時間が長い機能動作手段から順に電源供給を制御することを特徴とする請求項７記載の電源供給制御方法。
【請求項９】
自装置の主電源がＯＮとなる主電源ＯＮ工程と、
自装置の機能動作を実行するための少なくとも１以上の機能動作手段のうち、他の機能動作手段と通信できる状態であるレディ状態となるまでの時間が最も長い機能動作手段に電源供給する電源供給工程と、
前記レディ状態となるまでの時間が最も長い機能動作手段が、自装置起動時における他の機能動作手段への電源供給を、前記機能動作手段毎に制御する電源供給制御工程と、を有することを特徴とする電源供給制御方法。
【請求項１０】
前記少なくとも１以上の機能動作手段が、電源供給がされた際に前記レディ状態となるまでの時間が最も長い機能動作手段に通知を送信する通知送信工程をさらに有し、
前記電源供給制御工程は、前記通知送信工程において送信される通知に基づいて、自装置起動時における他の機能動作手段への電源供給を制御することを特徴とする請求項９記載の電源供給制御方法。
【請求項１１】
前記電源供給制御工程は、前記レディ状態となるまでの時間が最も長い機能動作手段に格納された前記他の機能動作手段への電源供給タイミング情報を含有する制御テーブルに基づいて、自装置起動時における他の機能動作手段への電源供給タイミングを制御することを特徴とする請求項９記載の電源供給制御方法。
【請求項１２】
前記少なくとも１以上の機能動作手段が、最初の自装置起動時に電源供給がされた際に前記レディ状態となるまでの時間が最も長い機能動作手段に通知を送信する最初通知送信工程と、
前記通知に基づいて前記制御テーブルを作成する制御テーブル作成工程と、をさらに有することを特徴とする請求項１１記載の電源供給制御方法。
【請求項１３】
自装置の主電源をＯＮとする処理と、
電源供給を制御する電源制御手段に電源供給する処理と、
前記電源制御手段が、自装置の機能動作を実行するための少なくとも１以上の機能動作手段への電源供給タイミングを、前記機能動作手段毎に制御する処理と、をコンピュータに実行させることを特徴とするプログラム。
【請求項１４】
自装置の主電源をＯＮとする処理と、
自装置の機能動作を実行するための少なくとも１以上の機能動作手段のうち、他の機能動作手段と通信できる状態であるレディ状態となるまでの時間が最も長い機能動作手段に電源供給する処理と、
前記レディ状態となるまでの時間が最も長い機能動作手段が、自装置起動時における他の機能動作手段への電源供給を、前記機能動作手段毎に制御する処理と、をコンピュータに実行させることを特徴とするプログラム。
【請求項１５】
請求項１３又は１４に記載のプログラムを記録したコンピュータ読取可能な記録媒体。
【発明の詳細な説明】
【技術分野】
【０００１】
本発明は、電源供給制御を行う画像形成装置、電源供給制御方法、プログラム及び記録媒体に関する。
【背景技術】
【０００２】
近年、スキャナ、プリンタ、ＦＡＸ等の機能を有するＭＦＰ（Multi Function Printer）やＬＰ（laser Printer）等が普及している。これらのＭＦＰ等は、複数の機能実現のために機能の異なるユニットを内蔵しているが、これらのユニットを動作可能状態に保つことで、無駄な電力を消費してしまうという問題があった。この問題を解決するために、一定期間印刷要求等のデータ入力や操作が無い場合は、内蔵タイマで自動的に、あるいはユーザ操作によって省電力モードに移行するといった制御が一般的に行われている。
【０００３】
しかし、上述したような制御では、画像形成装置のＡＳＩＣ（Application Specified IC）におけるＣＰＵ（Central Processing Unit）の省電力モードを利用する程度にとどまっており、省電力化が十分ではないという問題があった。
【０００４】
そこで、上記問題を解決するため、通常動作モード時に電力を供給する電源装置と、スタンバイモード時に電力を供給する電源装置の２つの電源装置を備えるプリンタコントロール装置の技術が開示されている（例えば、特許文献１）。上記技術では、何れの電源装置を使用するかをモードによって切り替えることで、電力を供給するユニットを制限し、消費電力を低減している。
【０００５】
また、上記問題を解決する他の技術として、スタンバイモードにおいては、Ｉ／Ｏブロック部の電源をＯＦＦし、ＣＰＵのクロック信号を最低周波数の基本クロック信号とすることで、ＡＳＩＣの消費電力を低減する技術が開示されている（例えば、特許文献２）。
【発明の概要】
【発明が解決しようとする課題】
【０００６】
ここで、画像形成装置の主電源ＯＮ時には、画像形成部等の機器内で大きな電力を使用する部分も含んだ全てのユニットやボードに一度通電されることが多い。そして、各ユニット等は初期化を実行することで、他のボードやユニットと通信できる状態であるレディ状態となる。しかしながら、各ユニットがレディ状態となるまでの時間には違いがある。つまり、レディ状態となるまでの時間が短いユニットは、レディ状態となるまでの時間が長いユニットがレディ状態となるまで待機する必要があり、この待機時間分の消費電力は無駄となってしまうという問題があった。
【０００７】
上記問題に対し、上記特許文献１及び特許文献２に記載の技術は、装置の初期起動後の消費電力を低減するための技術である。そのため、上記特許文献１及び特許文献２では、上述したような装置の初期起動時における消費電力については考慮されておらず、装置の初期起動時における消費電力を低減することはできないという課題があった。
【０００８】
本発明はこのような実情を鑑みてなされたものであり、上記課題を解決し、装置の初期起動からレディ状態となるまでの無駄な消費電力を低減する画像形成装置、電源供給制御方法、プログラム及び記録媒体を提供することを目的とする。
【課題を解決するための手段】
【０００９】
本発明の画像形成装置は、自装置の機能動作を実行するための少なくとも１以上の機能動作手段と、少なくとも１以上の機能動作手段への電源供給を制御する電源制御手段と、を有し、電源制御手段は、自装置起動時における少なくとも１以上の機能動作手段への電源供給タイミングを、機能動作手段毎に制御することを特徴とする。
【００１０】
本発明の画像形成装置は、自装置の機能動作を実行するための少なくとも１以上の機能動作手段を有し、少なくとも１以上の機能動作手段のうち、他の機能動作手段と通信できる状態であるレディ状態となるまでの時間が最も長い機能動作手段は、自装置起動時における他の機能動作手段への電源供給を、前記機能動作手段毎に制御することを特徴とする。
【００１１】
本発明の電源供給制御方法は、自装置の主電源がＯＮとなる主電源ＯＮ工程と、電源供給を制御する電源制御手段に電源供給する電源供給工程と、電源制御手段が、自装置の機能動作を実行するための少なくとも１以上の機能動作手段への電源供給タイミングを、機能動作手段毎に制御する電源供給制御工程と、を有することを特徴とする。
【００１２】
本発明の電源供給制御方法は、自装置の主電源がＯＮとなる主電源ＯＮ工程と、自装置の機能動作を実行するための少なくとも１以上の機能動作手段のうち、他の機能動作手段と通信できる状態であるレディ状態となるまでの時間が最も長い機能動作手段に電源供給する電源供給工程と、レディ状態となるまでの時間が最も長い機能動作手段が、自装置起動時における他の機能動作手段への電源供給を、機能動作手段毎に制御する電源供給制御工程と、を有することを特徴とする。
【００１３】
本発明のプログラムは、自装置の主電源をＯＮとする処理と、電源供給を制御する電源制御手段に電源供給する処理と、電源制御手段が、自装置の機能動作を実行するための少なくとも１以上の機能動作手段への電源供給タイミングを、機能動作手段毎に制御する処理と、をコンピュータに実行させることを特徴とする。
【００１４】
本発明のプログラムは、自装置の主電源をＯＮとする処理と、自装置の機能動作を実行するための少なくとも１以上の機能動作手段のうち、他の機能動作手段と通信できる状態であるレディ状態となるまでの時間が最も長い機能動作手段に電源供給する処理と、レディ状態となるまでの時間が最も長い機能動作手段が、自装置起動時における他の機能動作手段への電源供給を、機能動作手段毎に制御する処理と、をコンピュータに実行させることを特徴とする。
【００１５】
本発明の記録媒体は、上記プログラムを記録したコンピュータ読取可能な記録媒体である。
【発明の効果】
【００１６】
本発明によれば、装置の初期起動からレディ状態となるまでの無駄な消費電力を低減することが可能となる。
【図面の簡単な説明】
【００１７】
【図１】本実施形態に係る画像形成装置の概略機能構成例を示すブロック図である。
【図２】本実施形態に係る画像形成装置における初期起動時の電源供給制御動作例の流れを示すフローチャートである。
【図３】本実施形態に係る画像形成装置の機能概略構成例を示すブロック図である。
【図４】本実施形態に係る画像形成装置における初期起動時の電源供給制御動作例の流れを示すフローチャートである。
【図５】本実施形態に係る画像形成装置の概略機能構成例を示すブロック図である。
【図６】本実施形態に係る画像形成装置における初期起動時の電源供給制御動作例の流れを示すフローチャートである。
【図７】本実施形態に係る画像形成装置の概略機能構成例を示すブロック図である。
【図８】本実施形態に係る画像形成装置における初期起動時の電源供給制御動作例の流れを示すフローチャートである。
【図９】本実施形態に係る画像形成装置の概略機能構成例を示すブロック図である。
【図１０】本実施形態に係る画像形成装置における電源供給制御動作に用いられる制御時間テーブルの作成動作例の流れを示すフローチャートである。
【発明を実施するための形態】
【００１８】
以下に本発明の実施形態の例について、図面を用いて詳細に説明する。
【００１９】
（実施形態１）
図１は、本実施形態に係る画像形成装置の機能概略構成例を示す。図１に示すように、本実施形態に係る画像形成装置１は、主電源２、電源供給部３、スイッチ（ＳＷ）１０〜１３、画像形成部２０、操作部３０、画像読取部４０、コントローラ部５０、電源制御部６０、を有している。尚、本実施形態では、画像処理や出入力、装置操作や制御等の機能動作を実行するために必要な機能動作部であるユニットとして、画像形成部２０、操作部３０、画像読取部４０、コントローラ部５０、電源制御部６０、を有する場合を例に挙げて説明するが、これに限定されるものではない。
【００２０】
主電源２は、画像形成装置１本体の主電源であり、画像形成装置表面に設けることができる。主電源２をＯＮにすることで、画像形成装置が初期起動する。電源供給部３は、ＳＷ１０〜１３のＯＮ又はＯＦＦに基づいて、各ユニットに電力を供給する。
【００２１】
画像形成部２０は、例えば定着部等を備え、コントローラ部５０の指示に従って画像データに対する画像形成を行うユニットである。ＳＷ１０は、画像形成部２０の電源供給をＯＮ又はＯＦＦするスイッチである。操作部３０は、ユーザが画像形成装置１を操作するための入力を受付ける入力部や、装置状況を把握するための表示部等を備えるユニットである。また、例えば、表示部の制御を行うためのＬＣＤＣ（Liquid Crystal Display Control）等も備えていてもよい。尚、操作部３０は、上記入力部と表示部の機能を兼ね備えたタッチパネルを備える構成であってもよく、特に限定されない。ＳＷ１１は、操作部３０の電源供給をＯＮ又はＯＦＦするスイッチである。
【００２２】
画像読取部４０は、例えばＣＣＤ（Charge Coupled Device）等の撮像素子で画像データの読取りを行うユニットであり、例えばスキャナやプロッタ等として機能動作する。また、例えば、スキャナやプロッタを制御するＢＩＣＵ等を備えている。ＳＷ１２は、画像読取部４０の電源供給をＯＮ又はＯＦＦするスイッチである。コントローラ部５０は、画像形成装置１のメイン制御を行う制御ユニットである。ＳＷ１３は、コントローラ部５０の電源供給をＯＮ又はＯＦＦするスイッチである。電源制御部６０は、ＳＷ１０〜１３の制御を行うユニットである。
【００２３】
図２は、本実施形態に係る画像形成装置１における初期起動時の電源供給制御動作例の流れを示す。以下に、本実施形態に係る画像形成装置１の初期起動時の電源供給制御動作例について、図２を用いて説明する。
【００２４】
まず、ユーザの操作等に基づいて、主電源２がＯＮとなる（ステップＳ２０１）。尚、主電源ＯＮ時のＳＷ１０〜１３の状態はＯＦＦである。主電源２がＯＮになると、電源制御部６０に電力が供給される（ステップＳ２０２）。このとき、ＳＷ１０〜１３はＯＦＦ状態であり、画像形成部２０、操作部３０、画像読取部４０、コントローラ部５０等の各ユニットには電力が供給されていない。
【００２５】
次に、電源制御部６０は、ＳＷ１０〜１３を制御する（ステップＳ２０３）。このＳＷ１０〜１３の制御は、電源制御部６０が備える１チップマイコンやＡＳＩＣ等によって行われる。上記ステップＳ２０３の制御によりＳＷがＯＮ状態となった各ユニットに電力が供給され、レディ状態となる（ステップＳ２０４）。尚、上記ステップＳ２０３において、電源制御部６０は、各ユニットのＳＷ毎にタイミングを変更して制御することができるため、ユニット毎に電力を供給するタイミングを制御できる。
【００２６】
本実施形態により、画像形成装置内の各ユニットの電源供給タイミングをユニット毎に制御することができるので、レディ状態となるまでの各ユニットでの待ち時間を少なくすることが可能となる。もしくは待ち時間を削減することが可能となる。これにより、レディ状態となるまでの各ユニットでの待ち時間による無駄な電力消費を低減することが可能となる。
【００２７】
（実施形態２）
図１は、本実施形態に係る画像形成装置の機能概略構成例を示す。図１に示すように、本実施形態に係る画像形成装置１は、主電源２、電源供給部３、スイッチ（ＳＷ）１０〜１３、画像形成部２０、操作部３０、画像読取部４０、コントローラ部５０、電源制御部６０、を有している。尚、上記実施形態と同様の構成については説明を省略する。
【００２８】
図２は、本実施形態に係る画像形成装置１における初期起動時の電源供給制御動作例の流れを示す。以下に、本実施形態に係る画像形成装置１の初期起動時の電源供給制御動作例について、図２を用いて説明する。
【００２９】
まず、ユーザの操作等に基づいて、主電源２がＯＮとなる（ステップＳ２０１）。尚、主電源ＯＮ時のＳＷ１０〜１３の状態はＯＦＦである。主電源２がＯＮになると、電源制御部６０に電力が供給される（ステップＳ２０２）。このとき、ＳＷ１０〜１３はＯＦＦ状態であり、画像形成部２０、操作部３０、画像読取部４０、コントローラ部５０等の各ユニットには電力が供給されていない。
【００３０】
次に、電源制御部６０は、レディ状態となるまでの時間が長いユニットのＳＷから順に制御を行う（ステップＳ２０３）。このＳＷ１０〜１３の制御は、電源制御部６０が備える１チップマイコンやＡＳＩＣ等によって行われる。上記ステップＳ２０３の制御によりＳＷがＯＮ状態となった順に各ユニットに電力が供給され、レディ状態となる（ステップＳ２０４）。
【００３１】
本実施形態により、レディ状態となる順の遅いユニットから順番に電源供給の制御を行うことで、レディ状態となるまでの待ち時間を短縮するという課題を解決し、待ち時間により発生する無駄な消費電力を低減することが可能となる。
【００３２】
（実施形態３）
図３は、本実施形態に係る画像形成装置の機能概略構成例を示す。本実施形態の画像形成装置が上記実施形態１及び実施形態２の画像形成装置と異なるところは、必ずしも電源制御部６０及びコントローラ部５０のスイッチであるＳＷ１３を有していなくてもよいところである。尚、上記実施形態と同様の構成については説明を省略する。ここで、上記実施形態と異なり、コントローラ部５０は、主電源２がＯＮになるとＳＷの制御なしに、電力が供給される。
【００３３】
図４は、本実施形態に係る画像形成装置１における初期起動時の電源供給制御動作例の流れを示す。以下に、本実施形態に係る画像形成装置１の初期起動時の電源供給制御動作例について、図４を用いて説明する。
【００３４】
まず、ユーザの操作等に基づいて、主電源２がＯＮとなる（ステップＳ４０１）。尚、主電源ＯＮ時のＳＷ１０〜１２の状態はＯＦＦである。主電源２がＯＮになると、最もレディ状態となるまでの時間が長いユニットであるコントローラ部５０に電力が供給される（ステップＳ４０２）。このとき、ＳＷ１０〜１２はＯＦＦ状態であり、画像形成部２０、操作部３０、画像読取部４０等の各ユニットには電力が供給されていない。
【００３５】
次に、コントローラ部５０は、他のユニットのスイッチであるＳＷ１０〜１２を制御する（ステップＳ４０３）。このＳＷ１０〜１２の制御は、コントローラ部５０が備える１チップマイコンやＡＳＩＣ等によって行われる。上記ステップＳ４０３の制御によりＳＷがＯＮ状態となった各ユニットに電力が供給され、レディ状態となる（ステップＳ４０４）。尚、上記ステップＳ４０３において、コントローラ部５０は、各ユニットのＳＷ毎にタイミングを変更して制御することができるため、ユニット毎に電力を供給するタイミングを制御できる。
【００３６】
尚、本実施形態では、最もレディ状態となるまでの時間が長いユニットがコントローラ部であり、該コントローラ部により他のユニットのＳＷ制御を行う例を挙げて説明したが、これに限定されるものではない。
【００３７】
本実施形態により、各ユニットの電源供給タイミングを画像形成装置内で一番遅くレディ状態となるユニットが制御することで、画像形成装置内の各ユニットのレディ状態となるまでの時間を一致させるという課題を解決し、レディ状態となるまでの待ち時間分の無駄な消費電力を削減することが可能となる。
【００３８】
（実施形態４）
図５は、本実施形態に係る画像形成装置の機能概略構成例を示す。本実施形態の画像形成装置が上記実施形態１及び実施形態２の画像形成装置と異なるところは、必ずしも電源制御部６０及びコントローラ部５０のスイッチであるＳＷ１３を有していなくてもよいところである。尚、上記実施形態と同様の構成については説明を省略する。ここで、上記実施形態と異なり、コントローラ部５０は、主電源２がＯＮになるとＳＷの制御なしに、電力が供給される。さらに、画像形成部２０、操作部３０、画像読取部４０等の各ユニットは、電力を供給された後にコントローラ部５０に、電力が供給されたことを示すフィードバック信号（ＦＢ）を送信することができる。
【００３９】
図６は、本実施形態に係る画像形成装置１における初期起動時の電源供給制御動作例の流れを示す。以下に、本実施形態に係る画像形成装置１の初期起動時の電源供給制御動作例について、図６を用いて説明する。尚、本実施形態では、画像形成部２０、画像読取部４０、操作部３０の順に、レディ状態となるまでの時間が長い場合を例に挙げて説明するが、これに限定されるものではない。
【００４０】
まず、ユーザの操作等に基づいて、主電源２がＯＮとなる（ステップＳ６０１）。尚、主電源ＯＮ時のＳＷ１０〜１２の状態はＯＦＦである。主電源２がＯＮになると、コントローラ部５０に電力が供給される（ステップＳ６０２）。このとき、ＳＷ１０〜１２はＯＦＦ状態であり、画像形成部２０、操作部３０、画像読取部４０等の各ユニットには電力が供給されていない。
【００４１】
次に、コントローラ部５０は、他のユニットのうち、最もレディ状態となるまでの時間が長いユニットのＳＷを制御する（ステップＳ６０３）。本実施形態では、画像形成部２０のレディ状態となるまでの時間が、他のユニットよりも長いため、画像形成部２０のスイッチであるＳＷ１０を制御する。上記ステップＳ６０３の制御によりＳＷがＯＮ状態となった各ユニットに電力が供給される（ステップＳ６０４）。
【００４２】
上記ステップＳ６０４において電力を供給されたユニットは、コントローラ部５０に電力が供給されたことを示すフィードバック信号（ＦＢ）を送信する。ＦＢを受信すると（ステップＳ６０５／ＹＥＳ）、コントローラ部５０は受信したＦＢに基づいて、上記ステップＳ６０４の処理で電力が供給されたユニット以外のユニットのＳＷを制御する（ステップＳ６０６）。本実施形態では、コントローラ部５０は、画像形成部２０の次にレディ状態となるまでの時間が長いユニットである画像読取部４０のスイッチであるＳＷ１２を制御する。そして、上記ステップＳ６０６の制御によりＳＷがＯＮ状態となった各ユニットに電力が供給される（ステップＳ６０７）。
【００４３】
次に、コントローラ部５０は、電力供給が必要な全てのユニットに電力が供給されたか否かを判断する（ステップＳ６０８）。電力供給が必要な全てのユニットに電力が供給されたと判断された場合（ステップＳ６０８／ＹＥＳ）は、電源供給制御動作を終了する。他方、電力供給が必要な全てのユニットに電力が供給されていないと判断された場合（ステップＳ６０８／ＮＯ）には、上記ステップＳ６０５の処理に移行し、電力供給が必要な全てのユニットに電力が供給されるまで上記処理を繰り返し行う。ここでは、操作部３０には電力が未だに供給されていないため、上記ステップＳ６０５に移行する。そして、コントローラ部５０は、画像読取部４０のＦＢに基づいて操作部３０のスイッチであるＳＷ１１の制御を行い、操作部３０に電力を供給させる。
【００４４】
尚、上記ステップＳ６０３及びステップＳ６０６におけるＳＷ制御は、コントローラ部５０が備える１チップマイコンやＡＳＩＣ等によって行われる。また、本実施形態では、上記ステップＳ６０８において、コントローラ部が電力供給の必要な全てのユニットに電力が供給されたか否かを判断する例を挙げて説明したが、これに限定されるものではない。例えば、最もレディ状態となるまでの時間が短いユニットのＦＢに、つまり最後に電力が供給されるユニットのＦＢに電力供給が必要な全てのユニットに電力が供給された旨の情報を含ませることで、電源供給制御動作を終了させるようにしてもよい。
【００４５】
本実施形態により、電源供給されたユニットからのフィードバック信号に基づいて次のユニットの電源供給制御を行うことで、各々のユニットのレディ状態までの待ち時間を効率的に短くすることが可能となり、待ち時間分の無駄な消費電力を削減することが可能となる。
【００４６】
（実施形態５）
図７は、本実施形態に係る画像形成装置の機能概略構成例を示す。本実施形態の画像形成装置が上記実施形態１や実施形態２の画像形成装置と異なるところは、必ずしも電源制御部６０及びコントローラ部５０のスイッチであるＳＷ１３を有していなくてもよく、かつ、コントローラ部５０が記録部であるメモリ７０を有しているところである。尚、上記実施形態と同様の構成については説明を省略する。
【００４７】
本実施形態では、コントローラ部５０は、主電源２がＯＮになるとＳＷの制御なしに、電力が供給される。また、最もレディ状態となるまでの時間が長いユニットであるコントローラ部５０が備えるメモリ７０には、他のユニットの電源供給を行うための制御時間テーブル（例えば、電源供給オンタイミングの時間情報を含む）が格納されている。また、コントローラ部５０には、制御時間テーブルに基づいて他のユニットの電源供給タイミングを制御するための時間測定手段であるタイマを設けるようにしてもよい。尚、本実施形態では、メモリ７０が不揮発性メモリである場合を例に挙げて説明するが、これに限定されるものではない。
【００４８】
図８は、本実施形態に係る画像形成装置１における初期起動時の電源供給制御動作例の流れを示す。以下に、本実施形態に係る画像形成装置１の初期起動時の電源供給制御動作例について、図８を用いて説明する。
【００４９】
まず、ユーザの操作等に基づいて、主電源２がＯＮとなる（ステップＳ８０１）。尚、主電源ＯＮ時のＳＷ１０〜１２の状態はＯＦＦである。主電源２がＯＮになると、最もレディ状態となるまでの時間が長いユニットであるコントローラ部５０に電力が供給される（ステップＳ８０２）。このとき、ＳＷ１０〜１２はＯＦＦ状態であり、画像形成部２０、操作部３０、画像読取部４０等の各ユニットには電力が供給されていない。
【００５０】
次に、コントローラ部５０は、１チップマイコンやＡＳＩＣ等によって不揮発性のメモリ７０に格納されている制御時間テーブルを読み出し（ステップＳ８０３）、内部タイマにて時間計測を行う。そして、制御時間テーブルに基づいて他のユニットのスイッチであるＳＷ１０〜１２を制御する（ステップＳ８０４）。ここでは、例えば、制御時間テーブルが含有する各ユニットの電源供給タイミング情報に基づいてＳＷを制御している。そして、上記ステップＳ８０４の制御によりＳＷがＯＮ状態となった各ユニットに電力が供給され、レディ状態となる（ステップＳ８０５）。
【００５１】
ここで、メモリ７０に格納されている制御時間テーブルは、装置内で遷移するモード別に管理され、省電力状態のモードからの復帰により、使用されるテーブルが読み込まれる。これは、省電力状態では各ユニットの電源が一部入っていたりし、省電力状態のモードからの復帰後にレディ状態となるまでの時間は、主電源ＯＮ時のより早くなるためである。
【００５２】
尚、本実施形態では、最もレディ状態となるまでの時間が長いユニットがコントローラ部であり、該コントローラ部により他のユニットのＳＷ制御を行う例を挙げて説明したが、これに限定されるものではない。
【００５３】
本実施形態により、最もレディ状態となるまでの時間が長いユニットが格納している制御時間テーブルに基づいて各ユニットの電源供給タイミングを制御することで、画像形成装置内の各ユニットのレディ状態となるまでの時間を一致させるという課題を解決し、レディ状態となるまでの待ち時間分の無駄な消費電力を削減することが可能となる。
【００５４】
（実施形態６）
図９は、本実施形態に係る画像形成装置の機能概略構成例を示す。本実施形態の画像形成装置が上記実施形態１及び実施形態２の画像形成装置と異なるところは、必ずしも電源制御部６０及びコントローラ部５０のスイッチであるＳＷ１３を有していなくてもよく、かつ、コントローラ部５０が記録部であるメモリ７０を有しているところである。尚、上記実施形態と同様の構成については説明を省略する。ここで、上記実施形態と異なり、コントローラ部５０は、主電源２がＯＮになるとＳＷの制御なしに、電力が供給される。さらに、画像形成部２０、操作部３０、画像読取部４０等の各ユニットは、電力を供給された後にコントローラ部５０に、電力が供給されたことを示すフィードバック信号（ＦＢ）を送信することができる。
【００５５】
図１０は、本実施形態に係る画像形成装置における電源供給制御動作に用いられる制御時間テーブルの作成動作例の流れを示す。以下に、本実施形態に係る画像形成装置１の電源供給制御動作に用いられる制御時間テーブル作成動作例について、図１０を用いて説明する。
【００５６】
まず、ユーザの操作等に基づいて初めて主電源２がＯＮされると（ステップＳ１００１）、各ユニットに電力が供給される（ステップＳ１００２）。尚、最初の主電源ＯＮ時におけるＳＷ１０〜１２の状態はＯＮである。上記ステップＳ１００２において、各ユニットに電力が供給されると、各ユニットは初期化を行う。他方、主電源２がＯＮされるとコントローラ部５０は、１チップマイコンやＡＳＩＣ等によって内部タイマに時間計測を実行させ、各ユニットからのレディ状態になったことを示すレディ信号の通知を待つ（ステップＳ１００３）。
【００５７】
上記ステップＳ１００２における電力供給により各ユニットが初期化を行い、レディ状態となると、各ユニットは、コントローラ部５０にＦＢ信号の１つであるレディ信号を送信し、レディ状態となったことを通知する（ステップＳ１００４）。コントローラ部５０は、上記ステップＳ１００４において受信したＦＢに基づいて、各ユニットのレディ状態となるまでの時間を不揮発性の記録媒体であるメモリ７０に格納する。尚、上記したようにコントローラ部５０の１チップマイコンやＡＳＩＣ等が換算する各ユニットのレディ状態となるまでの時間は、コントローラ部５０に電力が供給された時点から内部タイマ等によりカウントされている。
【００５８】
本実施形態では、上述したような方法で時間制御テーブルを作成することができる。また、装置の２回目以降の主電源ＯＮからは、上述した実施形態５と同様の動作となるため、本実施形態では説明を省略する。尚、２回目以降の主電源ＯＮの際はＳＷ１０〜１２の状態はＯＦＦとなる。このような制御は１チップマイコンやＡＳＩＣ等により制御することができる。
【００５９】
本実施形態により、コントローラ部が各ユニットからのフィードバック（ＦＢ）を受信することで、各ユニットのレディ状態となるまでの時間を取得することができ、上記ＦＢに基づいて制御時間テーブルの値を決定し、制御時間テーブルを作成することができる。これにより、各ユニットのレディ状態となるまでの時間を効率的に一致させることができ、各ユニット間でのレディ状態となるまでの待ち時間分の無駄な消費電力を削減することが可能となる。
【００６０】
ここで、上記各実施形態では、画像処理や出入力、装置操作及び制御等の機能動作を実行するために必要な機能動作手段であるユニットとして、画像形成部２０、操作部３０、画像読取部４０、コントローラ部５０等を有する場合を例に挙げて説明したが、これに限定されるものではない。例えば、ＦＡＸ部等他の機能を有するユニット等の他のユニットを有することも可能であるし、上記ユニットを必ず備える必要はない。また、上記実施形態３〜６では、コントローラ部５０により各種制御を行う例を挙げて説明したが、これに限定されるものではない。
【００６１】
尚、各図のフローチャートに示す処理を、ＣＰＵが実行するためのプログラムは本発明によるプログラムを構成する。このプログラムを記録するコンピュータ読取可能な記録媒体としては、半導体記憶部や光学的及び／又は磁気的な記憶部等を用いることができる。このようなプログラム及び記録媒体を、前述した各実施形態とは異なる構成のシステム等で用い、該システムのＣＰＵで上記プログラムを実行させることにより、本発明と実質的に同じ効果を得ることができる。
【００６２】
以上好適な実施の形態に基づき具体的に説明したが、本発明は上述した画像形成装置、電源供給制御方法、プログラム及び記録媒体に限定されるものではなく、その要旨を逸脱しない範囲で種々変更可能であるということは言うまでもない。
【符号の説明】
【００６３】
１    画像形成装置
２    主電源
３    電源供給部
１０    ＳＷ
１１    ＳＷ
１２    ＳＷ
１３    ＳＷ
２０    画像形成部
３０    操作部
４０    画像読取部
５０    コントローラ部
６０    電源制御部
７０    メモリ
【先行技術文献】
【特許文献】
【００６４】
【特許文献１】特開２００２−１０３７３９号公報
【特許文献２】特開２００８−２６０１３０号公報
【図１】
2011043913.tif 000003
【図２】
2011043913.tif 000004
【図３】
2011043913.tif 000005
【図４】
2011043913.tif 000006
【図５】
2011043913.tif 000007
【図６】
2011043913.tif 000008
【図７】
2011043913.tif 000009
【図８】
2011043913.tif 000010
【図９】
2011043913.tif 000011
【図１０】
2011043913.tif 000012